(57)【要約】      （修正有）【課題】簡易な構造で、雑菌の繁殖を防止しかつ異物の流入を防止する弁付きストローを提供する。【解決手段】飲料用の弁付きストロー９において、口をつけるストローの先端筒部に、ストローの軸方向に上下可動するダンベル状の弁１０が設けられ、先端筒部の開口部近傍は径が太く形成されると共に、弁が設けられる部位の外周縁上に弁を支持する複数の凹部３が周囲に略等間隔に設けられる。そして、弁の上端部には蓋部２、下端部には凹部に係止する係止部５が設けられる。吸引時は、弁が上昇し、係止部が凹部の底部に係止する。一方、吸引後は、弁が下降し、蓋部の外周側面が先端筒部の内周側面と当接する。【選択図】図２
0003200914.tif 000002
【実用新案登録請求の範囲】
【請求項１】
飲料用の弁付きストローにおいて、
口をつけるストローの先端筒部に、ストローの軸方向に上下可動するダンベル状の弁が設けられ、
前記弁が設けられる部位の外周縁上に弁を支持する複数の凹部が周囲に略等間隔に設けられ、
前記弁の上端部には蓋部、下端部には前記凹部に係止する係止部が設けられ、
吸引時は、前記弁が上昇し、前記係止部が前記凹部の底部に係止し、
吸引後は、前記弁が下降し、前記蓋部の外周側面が前記先端筒部の内周側面と当接する、ことを特徴とする弁付きストロー。
【請求項２】
前記凹部は、略１２０°間隔で３箇所設けられたことを特徴とする請求項１に記載の弁付きストロー。
【請求項３】
前記蓋部は、上に凸の球面形状を呈し、
ストローの筒部上端部であって、前記凹部の上方に爪部が設けられたことを特徴とする請求項１又は２に記載の弁付きストロー。
【請求項４】
前記蓋部は、最大径がストローの内径よりも大きく、前記先端筒部の内周側面と当接する外周側面が下に狭まるテーパ形状を呈することを特徴とする請求項１〜３の何れかに記載の弁付きストロー。
【考案の詳細な説明】
【技術分野】
【０００１】
本考案は、飲料用のストローに関するものである。
【背景技術】
【０００２】
一般に、ペットボトルや紙パック飲料等が多く利用されているが、これらの飲料を飲む際には、コップやグラスに飲料を移し替えたり、直接口をつけて飲んだり、或は、ストローを使って飲むといった方法がある。コップやグラスに飲料を移し替えて飲む場合には、飲み残した飲料中に雑菌が入る可能性は低いが、直接口をつけて飲んだり、ストローを使って飲む場合には、口の中の唾液が多少飲料の中に入ってしまうことがある。そのような飲料を、飲みかけの状態で長時間放置すると、飲料中の雑菌が繁殖し、健康に悪影響を及ぼす可能性があるといわれている。
また、容器にストローを挿したままでいると、埃やごみといった異物がストローから流入してしまうという問題もある。
【０００３】
そこで、異物の流入を防ぐことのできる弁機能を持ったストローが知られている（特許文献１を参照）。特許文献１の弁機能を持ったストローは、筒部の蛇腹部の内部に弾力性のあるチューブを設けたものであり、蛇腹部を折り曲げた際にチューブの内側面が密接されることで、異物の流入を防ごうとするものである。
しかしながら、上記特許文献１の弁機能を持ったストローでは、蛇腹部を折り曲げなくてはならず、取扱いが煩雑であるという問題がある。また、特許文献１の弁機能を持ったストローは、口の中の唾液が飲料の中に入ることを防ぐものではなく、飲み残しの際の雑菌の繁殖という問題を解決するものではない。
【０００４】
また、異物の流入を防ぐことを可能としたキャップ付きストローが知られている（特許文献２を参照）。特許文献２のキャップ付きストローは、ストローに取り付けられたキャップ部材を容器の飲み口に取り付けることで、容器にストローを挿入した状態を保持できるようにし、ストローの蛇腹部を縮めることで、容器の蓋を取り付けられるようにしたものである。これによれば、ストローを容器に挿し込んだままで、蓋を取付けられるので、異物の流入を防ぐことができる。
しかしながら、特許文献２のキャップ付きストローは、口の中の唾液が飲料の中に入ることを防ぐものではなく、飲み残しの際の雑菌の繁殖という問題を解決するものではない。
【０００５】
そこで、乳幼児でもこぼすことなく、かつ、衛生的に使用することができる飲み口装置が知られている（特許文献３を参照）。特許文献３の飲み口装置は、飲み口とストローを支持する支持部との間に弁手段を有している。この弁手段は、飲み口本体を口に含んだ使用者の唾液等が容器に流入することを防止するためのものである。
しかしながら、特許文献３の飲み口装置は、構造が複雑であり、製作コストがかかるという問題があった。
【先行技術文献】
【特許文献】
【０００６】
【特許文献１】特開２００３−１１１６５８号公報
【特許文献２】特開２００１−２５３４６３号公報
【特許文献３】特開２００２−１２０８５５号公報
【考案の概要】
【考案が解決しようとする課題】
【０００７】
上記のように、特許文献１の弁機能を持ったストローでは、取扱いが煩雑であるという問題や、飲み残しの際に雑菌が繁殖するという問題があり、特許文献２のキャップ付きストローでは飲み残しの際に雑菌が繁殖するという問題があり、特許文献３の飲み口装置では、構造が複雑であり、製作コストがかかるという問題があった。
上記状況に鑑みて、本考案は、簡易な構造で、雑菌の繁殖を防止しかつ異物の流入を防止する弁付きストローを提供することを目的とする。
【課題を解決するための手段】
【０００８】
上記目的を達成すべく、本考案の弁付きストローは、飲料用の弁付きストローにおいて、口をつけるストローの先端筒部に、ストローの軸方向に上下可動するダンベル状の弁が設けられ、弁が設けられる部位の外周縁上に弁を支持する複数の凹部が周囲に略等間隔に設けられる。そして、弁の上端部には蓋部、下端部には凹部に係止する係止部が設けられる。吸引時は、弁が上昇し、係止部が凹部の底部に係止する。一方、吸引後は、弁が下降し、蓋部の外周側面が先端筒部の内周側面と当接する。
凹部は、飲料の通り道を確保するだけではなく、上下可動時における弁の前後左右へのずれを防止する役割も果たす。
先端筒部の開口部近傍は、ストローの筒の径よりも太く形成されてもよい。これにより、弁の蓋部が先端筒部の中に収まることになり、唇や舌が蓋部と先端筒部に挟まれ怪我をすることを防止できる。
また、先端筒部の開口部は、ストローの筒の径と同じでもよい。この場合、弁の蓋部がストロー内部に嵌り込むのを防ぐために、凹部の上方に爪部を設けることでもよい。爪部はそれぞれ凹部の上方に設けてもよく、或は、環状に設けてもよい。
先端筒部に凹部を設け、また、弁をダンベル状とし、上端部に蓋部、下端部に係止部を設けることにより、上下可動した際に弁が筒部から抜け出ることを防止できる。
【０００９】
本考案の弁付きストローに設けられる凹部は、略１２０°間隔で３箇所設けられたことが好ましい。設けられる凹部が、１箇所や２箇所であると弁をストローの軸中心で支えることができない。したがって、凹部はストローの軸中心で弁を支えられるような個数及び配置とする必要がある。そのため、凹部は少なくとも３箇所であり、３箇所の場合は略１２０°間隔で配置されることが好ましい。なお、４箇所の場合は９０°間隔で配置されることが好ましい。
【００１０】
本考案の弁付きストローを構成する弁の蓋部は、上に凸の球面形状を呈し、かつ、ストローの筒部上端部であって、凹部の上方に爪部が設けられたことが好ましい。球面形状という滑らかな形状とすることにより、使用者は、口腔に傷を付けず安全に使用することができる。凹部の上方に爪部を設けることにより、弁の蓋部がストロー内部に嵌り込むのを防ぐことができる。
【００１１】
本考案の弁付きストローを構成する弁の蓋部は、最大径がストローの内径よりも大きく、先端筒部の内周側面と当接する外周側面が下に狭まるテーパ形状を呈することが好ましい。蓋部の最大径をストローの内径よりも大きく形成することで、吸引後に蓋部が筒部の中に過度に入り込んでしまうことを防ぐ。また、先端筒部の内周側面と当接する外周側面が下に狭まるテーパ形状を呈することで、吸引後に、蓋部でストローの上端部を確実に塞ぎ、異物の流入を防ぐことが可能になる。
【考案の効果】
【００１２】
本考案に係る弁付きストローによれば、簡易な構造で、雑菌の繁殖を防止しかつ異物の流入を防止することができるといった効果を有する。
【図面の簡単な説明】
【００１３】
【図１】実施例１の弁付きストローの平面図
【図２】弁付きストローの構造説明図を示し、吸引後の状態を示している。
【図３】弁付きストローの構造説明図を示し、吸引時の状態を示している。
【図４】実施例１の弁付きストローの断面図
【図５】実施例１の弁付きストローの使用イメージ図
【図６】４つの凹部が設けられた弁付きストローの平面図
【図７】弁付きストローの構造説明図（凹部の上方に爪部を設けたもの）
【考案を実施するための最良の形態】
【００１４】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１５】
図１は、実施例１の弁付きストローの平面図を示している。
図１に示されるように、弁付きストロー９には、平面視上、凹部３が１２０°間隔で３箇所設けられている。３箇所の凹部３は、弁１０を支えるものである。一方、凹部３を形成することによって隙間１５が形成されるので、吸引時にはこの隙間１５を水が通ることになる。
【００１６】
図２は、弁付きストローの構造説明図を示し、吸引後の状態を示している。
図２に示されるように、弁付きストロー９は、筒部４と弁１０から成る。筒部４には蛇腹部６が設けられ、ストローの角度を変えて使用することが可能である。
また、先端筒部１３には凹部３が設けられ弁１０を支えている。図２では図示しないが、図１に示すように、凹部３が形成されていない箇所には、隙間１５が形成されているので、この隙間１５から、下から上へと水を吸い上げることが可能である。
【００１７】
拡大図Ｂに示すように、蓋受部２ｂは筒部４よりも径が大きく形成されているため、弁１０の蓋部上面１の側周面が筒部４からはみ出ることは無い構造である。蓋部側面部２ａと筒部４は当接部１４において当接している。
弁１０はダンベル状を成し、蓋部２と係止部５は中央部よりも径が大きく形成されている。蓋部側面部２ａは、下に狭まるテーパ形状を呈しているため、吸引後には筒部４と当接する。弁１０は、蓋部上面１のみが別途成形された上で接着されている。係止部５は吸引時に凹部３に引っ掛かり、係止される構造である。
【００１８】
キャップ７は、ペットボトル等に使用可能なキャップであり、上面中心部に筒部４と同じ径の貫通孔１２が形成されており、キャップ７に弁付きストロー９が挿通されている。拡大図Ｃに示すように、貫通孔１２は、内周側面が上に拡がるテーパ形状を呈しており、ストローが上から挿し込みやすい構造となっている。空気孔８は、吸引時に外部からの空気を容器内部へ取り込むためのものである。キャップ７に弁付きストロー９を挿し込んで使用することで、異物の流入をさらに抑制することができる。
【００１９】
図３は、弁付きストローの構造説明図であり、吸引時の状態を示している。
図３に示すように、吸引時には、弁１０が上昇し、蓋部２は蓋受部２ｂから離脱し、蓋部２と蓋受部２ｂが離れることによって生まれた隙間から水を吸い上げることができる。弁１０には係止部５が設けられているため、弁１０が上昇した場合、弁１０は係止部５が凹部３の下端部に係止されることにより上昇が止まる。
【００２０】
図４は、実施例１の弁付きストローの断面図を示している。具体的には、図１に示すＡ−Ａ´断面を示している。
図４に示すように、凹部３は、弁１０の外周縁上全体に設けられているのではなく、１２０°間隔で３箇所設けられているのみであるから、弁１０を支えつつ、水の通り道を確保することが可能である。
【００２１】
図５は、実施例１の弁付きストローの使用イメージ図を示している。
図５に示されるように、容器１１にキャップ７を装着し、キャップ７に弁付きストロー９を挿し込み、蛇腹６の角度を変えて使用している。
【００２２】
（その他の実施例）
（１）図６は、４つの凹部が設けられた弁付きストローの平面図を示している。
図６に示す弁付きストロー１９のように、実施例１とは異なり、凹部３を弁１０が設けられる部位の外周縁上に、９０°間隔で４箇所設けたものであってもよい。
（２）図７は、弁付きストローの構造説明図であり、実施例１とは異なり、凹部３の上方に爪部４ｂを設けたものである。ストロー２９の筒部４の開口部は、ストローの筒の径と同じにし、筒部上端部４ａ近傍であって、凹部３の上方に爪部４ｂを設けるとよい。爪部４ｂによって、弁１０の蓋部２がストロー２９内部に嵌り込むのを防ぐことができる。
【産業上の利用可能性】
【００２３】
本考案に係る弁付きストローは、飲料用のストローとして利用できる。
【符号の説明】
【００２４】
１  蓋部上面
２  蓋部
２ａ  蓋部側面部
２ｂ  蓋受部
３  凹部
４  筒部
４ａ  筒部上端部
４ｂ  爪部
５  係止部
６  蛇腹部
７  キャップ
８  空気孔
９，１９，２９  弁付きストロー
１０  弁
１１  容器
１２  貫通孔
１３  先端筒部
１４  当接部
１５  隙間
【図１】
0003200914.tif 000003
【図２】
0003200914.tif 000004
【図３】
0003200914.tif 000005
【図４】
0003200914.tif 000006
【図５】
0003200914.tif 000007
【図６】
0003200914.tif 000008
【図７】
0003200914.tif 000009